(57)【要約】本発明の実施形態は、パーソナルエリアネットワークゲートウェイがサービスハンドオーバのトリガ要求を受信した後またはサービスをハンドオーバする必要がある場合、ターゲットパーソナルエリアネットワーク装置を選択するステップと、ターゲットパーソナルエリアネットワーク装置がサービスハンドオーバを行うことに同意する場合、元のパーソナルエリアネットワーク装置とターゲットパーソナルエリアネットワーク装置の間にサービスをハンドオーバするステップとを含むパーソナルエリアネットワークに基づくシームレスハンドオーバ方法を開示する。【選択図】図1
2014522025.tif 000002
【特許請求の範囲】
【請求項１】
パーソナルエリアネットワークに基づくシームレスハンドオーバ方法であって、
パーソナルエリアネットワークゲートウェイがサービスハンドオーバの要求を受信した後またはサービスをハンドオーバする必要がある場合、ターゲットパーソナルエリアネットワーク装置を選択するステップと、
ターゲットパーソナルエリアネットワーク装置がサービスハンドオーバを行うことに同意する場合、元のパーソナルエリアネットワーク装置とターゲットパーソナルエリアネットワーク装置の間にサービスをハンドオーバするステップとを含むことを特徴とする方法。
【請求項２】
前記サービスハンドオーバの要求は、ユーザ、パーソナルエリアネットワークサーバ、サービス、パーソナルエリアネットワーク装置、パーソナルエリアネットワークゲートウェイまたは特定のイベントによって開始またはトリガされることを特徴とする
請求項１に記載の方法。
【請求項３】
前記ターゲットパーソナルエリアネットワーク装置は、同じパーソナルエリアネットワークにおける元のパーソナルエリアネットワーク装置以外の装置から選択されることを特徴とする
請求項１に記載の方法。
【請求項４】
サービスハンドオーバを開始またはトリガする開始側がパーソナルエリアネットワークゲートウェイではない場合、ターゲットパーソナルエリアネットワーク装置を選択する前記ステップの前に、前記開始側がパーソナルエリアネットワークゲートウェイへサービス説明情報が含まれるサービスハンドオーバ要求を送信するステップと、
パーソナルエリアネットワークゲートウェイが前記サービス説明情報によってターゲットパーソナルエリアネットワーク装置を選択し、またはパーソナルエリアネットワークゲートウェイが前記サービスハンドオーバ要求をターゲットパーソナルエリアネットワーク装置の選択エンティティに送信して前記選択エンティティによりターゲットパーソナルエリアネットワーク装置を選択するステップをさらに含むことを特徴とする
請求項２に記載の方法。
【請求項５】
サービスハンドオーバを開始またはトリガする開始側がパーソナルエリアネットワークゲートウェイである場合、パーソナルエリアネットワークゲートウェイは、ロカールのサービス説明情報によってターゲットパーソナルエリアネットワーク装置を直接に選択することを特徴とする
請求項２に記載の方法。
【請求項６】
前記方法は、元のパーソナルエリアネットワーク装置とターゲットパーソナルエリアネットワーク装置の間にサービスを同期した後にハンドオーバするステップと、
前記サービス説明情報にサービス同期のための同期情報が含まれる場合、前記ターゲットパーソナルエリアネットワーク装置は、パーソナルエリアネットワークゲートウェイから送信された前記同期情報を受信することにより、前記同期情報を取得するステップと、
前記サービス説明情報にサービス同期のための同期情報が含まれない場合、前記ターゲットパーソナルエリアネットワーク装置は、元のパーソナルエリアネットワーク装置とのインタラクティブにより、前記同期情報を取得し、または、前記ターゲットパーソナルエリアネットワーク装置は、パーソナルエリアネットワークサーバとのインタラクティブにより、前記同期情報を取得するステップとをさらに含むことを特徴とする
請求項４または５に記載の方法。
【請求項７】
元のパーソナルエリアネットワーク装置とターゲットパーソナルエリアネットワーク装置の間にサービスをハンドオーバした後、前記方法は、ハンドオーバ完了の応答を、サービスハンドオーバを開始まはたトリガする開始側に返して、元のパーソナルエリアネットワーク装置がこの前に使用したサービスを停止させるステップをさらに含むことを特徴とする
請求項１〜５のいずれか１項に記載の方法。
【請求項８】
元のパーソナルエリアネットワーク装置がこの前に使用したサービスを停止させる前記ステップは、具体的に、
前記開始側が元のパーソナルエリアネットワーク装置ではない場合、パーソナルエリアネットワークゲートウェイを介して前記サービスの使用を停止するように元のパーソナルエリアネットワーク装置に通知する必要があることと、
前記開始側がパーソナルエリアネットワークゲートウェイである場合、前記サービスの使用を停止するように元のパーソナルエリアネットワーク装置に直接に通知することを含むこと、とを特徴とする
請求項７に記載の方法。
【請求項９】
ハンドオーバ完了の応答を、サービスハンドオーバを開始またはトリガする開始側に返す前記ステップの後、前記方法は、パーソナルエリアネットワークゲートウェイがサービスサーバへ更新メッセージを送信して、サービスサーバが前記更新メッセージによってサービス説明情報におけるサービスプロバイダーを変更するステップをさらに含むことを特徴とする
請求項７に記載の方法。
【請求項１０】
元のパーソナルエリアネットワーク装置がこの前に使用したサービスを停止させる前記ステップは、具体的に、
前記開始側が元のパーソナルエリアネットワーク装置ではない場合、パーソナルエリアネットワークゲートウェイを介して前記サービスの使用を停止するように元のパーソナルエリアネットワーク装置に通知する必要があることと、
前記開始側がパーソナルエリアネットワークゲートウェイである場合、前記サービスの使用を停止するように元のパーソナルエリアネットワーク装置に直接に通知すること、とを含むことを特徴とする
請求項９に記載の方法。
【請求項１１】
パーソナルエリアネットワークゲートウェイがサービスハンドオーバの要求を受信した後またはサービスをハンドオーバする必要がある場合、ターゲットパーソナルエリアネットワーク装置を選択するように構成されるターゲット選択ユニットと、
ターゲットパーソナルエリアネットワーク装置がサービスハンドオーバを行うことに同意する場合、元のパーソナルエリアネットワーク装置とターゲットパーソナルエリアネットワーク装置の間にサービスをハンドオーバするように構成されるサービスハンドオーバユニットと、
を備え、
パーソナルエリアネットワークゲートウェイまたはパーソナルエリアネットワークサーバに位置する、パーソナルエリアネットワークに基づくシームレスハンドオーバ装置。
【請求項１２】
前記装置は、ユーザ、パーソナルエリアネットワークサーバ、サービス、パーソナルエリアネットワーク装置、パーソナルエリアネットワークゲートウェイまたは特定のイベントによって前記サービスハンドオーバのトリガ要求を開始またはトリガするように構成されるサービスハンドオーバトリガユニットをさらに備えることを特徴とする
請求項１１に記載の装置。
【請求項１３】
前記ターゲット選択ユニットは、さらに、同じパーソナルエリアネットワークにおける元のパーソナルエリアネットワーク装置以外の装置からターゲットパーソナルエリアネットワーク装置の選択エンティティを選択するように構成されることを特徴とする
請求項１１に記載の装置。
【請求項１４】
前記ターゲット選択ユニットは、さらに、サービスハンドオーバを開始またはトリガする開始側がパーソナルエリアネットワークゲートウェイではない場合、前記開始側がパーソナルエリアネットワークゲートウェイへサービス説明情報が含まれるサービスハンドオーバ要求を送信し、
パーソナルエリアネットワークゲートウェイが前記サービス説明情報によってターゲットパーソナルエリアネットワーク装置を選択し、またはパーソナルエリアネットワークゲートウェイが前記サービスハンドオーバ要求をターゲットパーソナルエリアネットワーク装置の選択エンティティに送信して前記選択エンティティによりターゲットパーソナルエリアネットワーク装置を選択するように構成されることを特徴とする
請求項１２に記載の装置。
【請求項１５】
前記ターゲット選択ユニットは、さらに、サービスハンドオーバを開始またはトリガする開始側がパーソナルエリアネットワークゲートウェイである場合、パーソナルエリアネットワークゲートウェイがロカールのサービス説明情報によってターゲットパーソナルエリアネットワーク装置を直接に選択するように構成されることを特徴とする
請求項１２に記載の装置。
【請求項１６】
前記装置は、元のパーソナルエリアネットワーク装置とターゲットパーソナルエリアネットワーク装置の間にサービスをハンドオーバした後、ハンドオーバ完了の応答を、サービスハンドオーバを開始またはトリガする開始側に返して、元のパーソナルエリアネットワーク装置がこの前に使用したサービスを停止させるように構成されるサービス停止ユニットをさらに備えることを特徴とする
請求項１１〜１５のいずれか１項に記載の装置。
【請求項１７】
前記装置は、サービスサーバへ更新メッセージを送信して、サービスサーバが前記更新メッセージによってサービス説明情報におけるサービスプロバイダーを変更するように構成されるサービス更新ユニットをさらに備えることを特徴とする
請求項１１〜１５のいずれか１項に記載の装置。
【発明の詳細な説明】
【技術分野】
【０００１】
本発明は、パーソナルエリアネットワークに基づくハンドオーバ技術に関し、特にパーソナルエリアネットワークに基づくシームレスハンドオーバ方法及び装置に関する。
【背景技術】
【０００２】
科学技術の発展に伴い、人々はより多くの、携帯電話、ノートパソコン、ＰＤＡ、ＭＰ３、ＭＰ４などのような個人的なデバイスを持っていて、且つこれらのデバイスの機能もますます強くなり、大部分で近距離通信機能を備えるため、人々はますます周りのこれらのデバイスが一緒に接続されて、個々のパーソナルエリアネットワーク（ＰＮ）を構成し、互いのリソースと機能を共有することが望まれている。
【０００３】
図１に示すのは１つのＰＮにおける各装置間のネットワーク構成図である。当該ＰＮにはパーソナルエリアネットワーク装置、パーソナルエリアネットワークゲートウェイ、パーソナルエリアネットワークサーバが含まれ、それらの間のネットワーク構成関係は、パーソナルエリアネットワークがパーソナルエリアネットワークゲートウェイ、パーソナルエリアネットワーク装置１、パーソナルエリアネットワーク装置２、パーソナルエリアネットワーク装置３、パーソナルエリアネットワーク装置４から構成されることである。パーソナルエリアネットワークは、そのパーソナルエリアネットワークゲートウェイを介してパーソナルエリアネットワークサーバに接続されている。
【０００４】
しかしながら、パーソナルエリアネットワーク装置の電池の電力量が不足するまたはパーソナルエリアネットワーク装置が現在のパーソナルエリアネットワークから離れるような様々な原因で、パーソナルエリアネットワーク装置は、現在のサービスを使用し続けることができなくなるので、その他のパーソナルエリアネットワーク装置にハンドオーバするように、サービスをハンドオーバする必要がある。現在、このような、サービスをハンドオーバする必要がある場合に、どのようにパーソナルエリアネットワークでサービスのシームレスハンドオーバを実現するかの問題については、まだ効果的な解決案がない。
【発明の概要】
【発明が解決しようとする課題】
【０００５】
これを鑑みて、本発明の実施形態の主要な目的は、サービスをハンドオーバする必要がある場合に、どのようにパーソナルエリアネットワークでサービスのシームレスハンドオーバを実現するかの問題を、効果的に解決することができる、パーソナルエリアネットワークに基づくシームレスハンドオーバ方法及び装置を提供することにある。
【課題を解決するための手段】
【０００６】
前記目的を達成するために、本発明の実施形態の技術的ストリームは、以下のように実現される。
【０００７】
パーソナルエリアネットワークに基づくシームレスハンドオーバ方法は、パーソナルエリアネットワークゲートウェイがサービスハンドオーバの要求を受信した後またはサービスをハンドオーバする必要がある場合、ターゲットパーソナルエリアネットワーク装置を選択するステップと、ターゲットパーソナルエリアネットワーク装置がサービスハンドオーバを行うことに同意する場合、元のパーソナルエリアネットワーク装置とターゲットパーソナルエリアネットワーク装置の間にサービスをハンドオーバするステップとを含む。
【０００８】
前記サービスハンドオーバの要求は、ユーザ、パーソナルエリアネットワークサーバ、サービス、パーソナルエリアネットワーク装置、パーソナルエリアネットワークゲートウェイまたは特定のイベントによって開始またはトリガされる。
【０００９】
前記ターゲットパーソナルエリアネットワーク装置は、同じパーソナルエリアネットワークにおける元のパーソナルエリアネットワーク装置以外の装置から選択される。
【００１０】
サービスハンドオーバを開始またはトリガする開始側がパーソナルエリアネットワークゲートウェイではない場合、前記ターゲットパーソナルエリアネットワーク装置を選択する前記ステップの前に、前記開始側がパーソナルエリアネットワークゲートウェイへサービス説明情報が含まれるサービスハンドオーバ要求を送信するステップと、パーソナルエリアネットワークゲートウェイが前記サービス説明情報によってターゲットパーソナルエリアネットワーク装置を選択し、またはパーソナルエリアネットワークゲートウェイが前記サービスハンドオーバ要求をターゲットパーソナルエリアネットワーク装置の選択エンティティに送信して前記選択エンティティによりターゲットパーソナルエリアネットワーク装置を選択するステップをさらに含む。
【００１１】
サービスハンドオーバを開始またはトリガする開始側がパーソナルエリアネットワークゲートウェイである場合、パーソナルエリアネットワークゲートウェイは、ロカールのサービス説明情報によってターゲットパーソナルエリアネットワーク装置を直接に選択する。
【００１２】
前記方法は、元のパーソナルエリアネットワーク装置とターゲットパーソナルエリアネットワーク装置の間にサービスを同期してハンドオーバするステップと、
前記サービス説明情報にサービス同期のための同期情報が含まれる場合、前記ターゲットパーソナルエリアネットワーク装置がパーソナルエリアネットワークゲートウェイから送信された前記同期情報を受信することにより、前記同期情報を取得するステップと、
前記サービス説明情報にサービス同期のための同期情報が含まれない場合、前記ターゲットパーソナルエリアネットワーク装置が元のパーソナルエリアネットワーク装置とのインタラクティブにより、前記同期情報を取得するステップ、または、前記ターゲットパーソナルエリアネットワーク装置がパーソナルエリアネットワークサーバとのインタラクティブにより、前記同期情報を取得するステップとをさらに含む。
【００１３】
元のパーソナルエリアネットワーク装置とターゲットパーソナルエリアネットワーク装置の間にサービスをハンドオーバした後、当該方法は、ハンドオーバ完了の応答を、サービスハンドオーバを開始まはたトリガする開始側に返して、元のパーソナルエリアネットワーク装置がこの前に使用したサービスを停止させるステップをさらに含む。
【００１４】
元のパーソナルエリアネットワーク装置がこの前に使用したサービスを停止させる前記ステップは、具体的に、前記開始側が元のパーソナルエリアネットワーク装置ではない場合、パーソナルエリアネットワークゲートウェイを介して前記サービスの使用を停止するように元のパーソナルエリアネットワーク装置に通知する必要があることと、前記開始側がパーソナルエリアネットワークゲートウェイである場合、前記サービスの使用を停止するように元のパーソナルエリアネットワーク装置に直接に通知すること、とを含む。
【００１５】
ハンドオーバ完了の応答を、サービスハンドオーバを開始またはトリガする開始側に返す前記ステップの後、当該方法は、パーソナルエリアネットワークゲートウェイがサービスサーバへ更新メッセージを送信して、サービスサーバが前記更新メッセージによってサービス説明情報におけるサービスプロバイダーを変更するステップをさらに含む。
【００１６】
元のパーソナルエリアネットワーク装置がこの前に使用したサービスを停止させる前記ステップは、具体的に、前記開始側が元のパーソナルエリアネットワーク装置ではない場合、パーソナルエリアネットワークゲートウェイを介して前記サービスの使用を停止するように元のパーソナルエリアネットワーク装置に通知する必要があることと、前記開始側がパーソナルエリアネットワークゲートウェイである場合、前記サービスの使用を停止するように元のパーソナルエリアネットワーク装置に直接通知することとを含む。
【００１７】
パーソナルエリアネットワークゲートウェイがサービスハンドオーバの要求を受信した後またはサービスをハンドオーバする必要がある場合、ターゲットパーソナルエリアネットワーク装置を選択するように構成されるターゲット選択ユニットと、
ターゲットパーソナルエリアネットワーク装置がサービスハンドオーバを行うことに同意する場合、元のパーソナルエリアネットワーク装置とターゲットパーソナルエリアネットワーク装置の間にサービスをハンドオーバするように構成されるサービスハンドオーバユニットと、
を備え
パーソナルエリアネットワークゲートウェイまたはパーソナルエリアネットワークサーバに位置する、パーソナルエリアネットワークに基づくシームレスハンドオーバ装置。
【００１８】
前記装置は、ユーザ、パーソナルエリアネットワークサーバ、サービス、パーソナルエリアネットワーク装置、パーソナルエリアネットワークゲートウェイまたは特定のイベントによって前記サービスハンドオーバのトリガ要求を開始またはトリガするように構成されるサービスハンドオーバトリガユニットをさらに備える。
【００１９】
前記ターゲット選択ユニットは、さらに、同じパーソナルエリアネットワークにおける元のパーソナルエリアネットワーク装置以外の装置からターゲットパーソナルエリアネットワーク装置の選択エンティティを選択するように構成される。
【００２０】
前記ターゲット選択ユニットは、さらに、サービスハンドオーバを開始またはトリガする開始側がパーソナルエリアネットワークゲートウェイではない場合、前記開始側がパーソナルエリアネットワークゲートウェイへサービス説明情報が含まれるサービスハンドオーバ要求を送信し、
パーソナルエリアネットワークゲートウェイが前記サービス説明情報によってターゲットパーソナルエリアネットワーク装置を選択し、またはパーソナルエリアネットワークゲートウェイが前記サービスハンドオーバ要求をターゲットパーソナルエリアネットワーク装置の選択エンティティに送信して前記選択エンティティによりターゲットパーソナルエリアネットワーク装置を選択するように構成される。
【００２１】
前記ターゲット選択ユニットは、さらに、サービスハンドオーバを開始またはトリガする開始側がパーソナルエリアネットワークゲートウェイである場合、パーソナルエリアネットワークゲートウェイがロカールのサービス説明情報によってターゲットパーソナルエリアネットワーク装置を直接に選択するように構成される。
【００２２】
前記装置は、元のパーソナルエリアネットワーク装置とターゲットパーソナルエリアネットワーク装置の間にサービスをハンドオーバした後、ハンドオーバ完了の応答を、サービスハンドオーバを開始またはトリガする開始側に返して、元のパーソナルエリアネットワーク装置がこの前に使用したサービスを停止させるように構成されるサービス停止ユニットをさらに備える。
【００２３】
前記装置は、サービスサーバへ更新メッセージを送信して、サービスサーバが前記更新メッセージによってサービス説明情報におけるサービスプロバイダーを変更するように構成されるサービス更新ユニットをさらに備える。
【００２４】
本発明の実施形態は、パーソナルエリアネットワークゲートウェイがサービスハンドオーバの要求を受信した後またはサービスをハンドオーバする必要がある場合、ターゲットパーソナルエリアネットワーク装置を選択し、ターゲットパーソナルエリアネットワーク装置がサービスハンドオーバを行うことに同意する場合、元のパーソナルエリアネットワーク装置とターゲットパーソナルエリアネットワーク装置の間にサービスをハンドオーバする。
【００２５】
本発明の実施形態によれば、サービスをハンドオーバする必要がある場合に、どのようにパーソナルエリアネットワークでサービスのシームレスハンドオーバを実現するかの問題を、効果的に解決して、元のパーソナルエリアネットワーク装置でのサービスをターゲットパーソナルエリアネットワーク装置にハンドオーバすることができる。
【図面の簡単な説明】
【００２６】
【図１】従来技術によるＰＮにおける各装置間のネットワーク構成図である。
【図２】本発明の実施形態のシームレスハンドオーバ方法の基本原理のフローチャートである。
【図３】本発明の具体的な実施形態一、実施形態三のネットワーク構成図である。
【図４】本発明の具体的な実施形態ニのネットワーク構成図である。
【発明を実施するための形態】
【００２７】
以下、図面を参照しながら技術的ストリームの実施をさらに詳しく説明する。
【００２８】
パーソナルエリアネットワークに基づくシームレスハンドオーバ方法は、パーソナルエリアネットワークでのサービスハンドオーバであって、その基本原理フローチャートは、図２に示され、主に以下のステップを含む。
【００２９】
ステップ１０１：ユーザ、パーソナルエリアネットワークサーバ、サービス、パーソナルエリアネットワーク装置、パーソナルエリアネットワークゲートウェイまたはいくつかの特定のイベントによってサービスハンドオーバを開始またはトリガすることができる。
【００３０】
ここで、「特定のイベント」は、パーソナルエリアネットワーク装置の電力量が不足すること、ユーザが家、自転車、ホテルなどのような特定の領域から離れるまたは入ることを含み、繰り返して説明しない。
【００３１】
ここで、ステップ１０１において、サービスハンドオーバの開始側がパーソナルエリアネットワークゲートウェイではない場合、サービスハンドオーバの開始側がパーソナルエリアネットワーク装置であると、パーソナルエリアネットワークゲートウェイへサービス識別子などのサービス説明情報が含まれるサービスハンドオーバ要求を送信し、サービスハンドオーバの開始側がパーソナルエリアネットワークゲートウェイ自身であると、このステップを省略する。
【００３２】
好ましくは、ステップ１０１に含まれるサービス説明情報にサービス同期のための同期情報があると、後のステップ１０３において、パーソナルエリアネットワークゲートウェイも当該同期情報を新しいパーソナルエリアネットワーク装置に送信し、ステップ１０４において新しいパーソナルエリアネットワーク装置が、当該同期情報によってサービスを同期しており、ステップ１０１に含まれるサービス説明情報にサービス同期のための同期情報がなければ、後のステップ１０４において、新しいパーソナルエリアネットワーク装置がサービスをハンドオーバする前に、前記新しいパーソナルエリアネットワーク装置が、元のパーソナルエリアネットワーク装置とのインタラクティブにより当該同期情報を取得することができ、または、前記新しいパーソナルエリアネットワーク装置が、サービスサーバにより当該同期情報を取得することができる。
【００３３】
ステップ１０２：１つの新しいパーソナルエリアネットワーク装置を選択してサービスをハンドオーバする。
【００３４】
ここで、ステップ１０２において、新しいパーソナルエリアネットワーク装置を選択してサービスをハンドオーバする場合、新しいパーソナルエリアネットワーク装置は、同じパーソナルエリアネットワークにおける元のパーソナルエリアネットワーク装置以外の装置から選択されることができる。新しいパーソナルエリアネットワーク装置は、ユーザ、パーソナルエリアネットワークサーバ、サービス、パーソナルエリアネットワークゲートウェイ、または元のパーソナルエリアネットワーク装置以外のパーソナルエリアネットワーク装置を含むことができる。
【００３５】
ここで、新しいパーソナルエリアネットワーク装置の選択基準は、複数であってよく、例えばランダム選択、装置機能に基づく選択、サービスタイプに基づく選択などである。ここで、装置機能に対して、パーソナルエリアネットワーク装置、パーソナルエリアネットワークゲートウェイは、いずれも論理エンティティであって、それらは具体的な物理的装置（例えば携帯電話）に存在することができ、従って本明細書に記載された装置機能は、これらの論理エンティティが利用する物理的装置の機能であるため、ここで繰り返して説明しない。
【００３６】
ここで、１つの新しいパーソナルエリアネットワーク装置を選択してサービスをハンドオーバする前に、
Ａ１、パーソナルエリアネットワークゲートウェイは、当該サービスハンドオーバ要求を、新しいパーソナルエリアネットワーク装置の選択を担当するエンティティに送信するステップを含む。パーソナルエリアネットワークゲートウェイが新しいパーソナルエリアネットワーク装置の選択を担当すると、このステップを省略する。
【００３７】
１つの新しいパーソナルエリアネットワーク装置を選択してサービスをハンドオーバすることは、
Ｂ１、新しいパーソナルエリアネットワーク装置の選択エンティティが新しいパーソナルエリアネットワーク装置を選択することを含む。
【００３８】
１つの新しいパーソナルエリアネットワーク装置を選択してサービスをハンドオーバした後、
Ｃ１、新しいパーソナルエリアネットワーク装置の選択エンティティは、選択結果をパーソナルエリアネットワークゲートウェイに返すステップを含む。パーソナルエリアネットワークゲートウェイゲートウェイが新しいパーソナルエリアネットワーク装置の選択を担当すると、このステップを省略する。
【００３９】
ステップ１０３：新しいパーソナルエリアネットワーク装置は、サービスハンドオーバに同意する。
【００４０】
ここで、サービスハンドオーバに同意する前に、パーソナルエリアネットワークゲートウェイは、選択された新しいパーソナルエリアネットワーク装置へサービス識別子などのサービス説明情報が含まれるサービスハンドオーバ要求を送信するステップを含む。
【００４１】
新しいパーソナルエリアネットワーク装置がハンドオーバに同意し且つ当該サービスをサポートする機能を持つと、後のステップ１０４を行う。新しいパーソナルエリアネットワーク装置がハンドオーバに同意しないと、開始側へハンドオーバできない応答を返して、そして前記ステップ１０２に戻って新たに新しいパーソナルエリアネットワーク装置を選択する。
【００４２】
ステップ１０４：新しいパーソナルエリアネットワーク装置と元のパーソナルエリアネットワーク装置の間にサービスをハンドオーバする。
【００４３】
ここで、サービスをハンドオーバすることは、新しいパーソナルエリアネットワーク装置が受信されたサービス説明情報によって、サービスを取得して元のパーソナルエリアネットワーク装置でのサービスと時間同期、状態同期などのような同期を行うことを含む。
【００４４】
サービスをハンドオーバした後、パーソナルエリアネットワークゲートウェイへハンドオーバ完了の応答を返し、パーソナルエリアネットワークゲートウェイが開始側へハンドオーバ完了の応答を返し、元のパーソナルエリアネットワーク装置が当該サービスの使用を停止することを含む。
【００４５】
好ましくは、ステップ１０４において、開始側が元のパーソナルエリアネットワーク装置ではいない場合、前記開始側は、パーソナルエリアネットワークゲートウェイを介して当該サービスの使用を停止するように元のパーソナルエリアネットワーク装置に通知する必要がある。パーソナルエリアネットワークゲートウェイが開始側である場合、当該サービスの使用を停止するように元のパーソナルエリアネットワーク装置に直接に通知する。
【００４６】
好ましくは、パーソナルエリアネットワークゲートウェイへハンドオーバ完了の応答を返した後、パーソナルエリアネットワークゲートウェイは、サービスサーバへ更新メッセージを送信して、サービスサーバが前記更新メッセージによってサービス説明情報におけるサービスプロバイダーを変更するステップをさらに含む。
【００４７】
また、ハンドオーバすべきパーソナルエリアネットワーク装置が使用されているまたは提供されたサービスが１つのみではない場合、サービスごとに前記ハンドオーバステップを実行する必要がある。
【００４８】
ここで、本明細書の新しいパーソナルエリアネットワーク装置は、ターゲットパーソナルエリアネットワーク装置となり、元のパーソナルエリアネットワーク装置に対応することもできる。
【００４９】
パーソナルエリアネットワークに基づくシームレスハンドオーバ装置であって、パーソナルエリアネットワークゲートウェイに位置し、ターゲット選択ユニットとサービスハンドオーバユニットを備える。ターゲット選択ユニットは、パーソナルエリアネットワークゲートウェイがサービスハンドオーバのトリガ要求を受信した後またはサービスをハンドオーバする必要がある場合、ターゲットパーソナルエリアネットワーク装置を選択するように構成される。サービスハンドオーバユニットは、ターゲットパーソナルエリアネットワーク装置がサービスハンドオーバを行うことに同意する場合、元のパーソナルエリアネットワーク装置とターゲットパーソナルエリアネットワーク装置の間にサービスをハンドオーバするように構成される。
【００５０】
ここで、前記装置は、ユーザ、パーソナルエリアネットワークサーバ、サービス、パーソナルエリアネットワーク装置、パーソナルエリアネットワークゲートウェイまたは特定のイベントによって前記サービスハンドオーバのトリガ要求を開始またはトリガするように構成されるサービスハンドオーバトリガユニットをさらに備える。
【００５１】
ここで、ターゲット選択ユニットは、さらに、同じパーソナルエリアネットワークにおける元のパーソナルエリアネットワーク装置以外の装置からターゲットパーソナルエリアネットワーク装置の選択エンティティを選択するように構成される。ターゲットパーソナルエリアネットワーク装置の選択エンティティは、ユーザ、パーソナルエリアネットワークサーバ、サービス、パーソナルエリアネットワークゲートウェイ、または元のパーソナルエリアネットワーク装置以外のパーソナルエリアネットワーク装置を含むことができる。
【００５２】
ここで、ターゲット選択ユニットは、さらに、サービスハンドオーバを開始またはトリガする開始側がパーソナルエリアネットワークゲートウェイではない場合、前記開始側がパーソナルエリアネットワークゲートウェイへサービス説明情報が含まれるサービスハンドオーバ要求を送信するように構成される。パーソナルエリアネットワークゲートウェイが前記サービス説明情報によってターゲットパーソナルエリアネットワーク装置を選択することができ、または、パーソナルエリアネットワークゲートウェイが前記サービスハンドオーバ要求をターゲットパーソナルエリアネットワーク装置の選択エンティティに送信して前記選択エンティティによりターゲットパーソナルエリアネットワーク装置を選択することもできる。
【００５３】
ここで、ターゲット選択ユニットは、さらに、サービスハンドオーバを開始またはトリガする開始側がパーソナルエリアネットワークゲートウェイである場合、パーソナルエリアネットワークゲートウェイがロカールのサービス説明情報によってターゲットパーソナルエリアネットワーク装置を直接に選択するように構成される。
【００５４】
ここで、当該装置は、元のパーソナルエリアネットワーク装置とターゲットパーソナルエリアネットワーク装置の間にサービスをハンドオーバした後、ハンドオーバ完了の応答を、サービスハンドオーバを開始またはトリガする開始側に返して、元のパーソナルエリアネットワーク装置の前の使用したサービスを停止するように構成されるサービス停止ユニットをさらに備える。
【００５５】
ここで、前記装置は、サービスサーバに更新メッセージを送信して、サービスサーバが前記更新メッセージによってサービス説明情報におけるサービスプロバイダーを更新するように構成されるサービス更新ユニットをさらに備える。
【００５６】
以下に本発明を、例を挙げて説明する。
【００５７】
具体的な実施形態１
ユーザＡは、１つのパーソナルエリアネットワークゲートウェイと４つのパーソナルエリアネットワーク装置を含むパーソナルエリアネットワークを持って、ネットワーク構成図が３図に示され、ここで、パーソナルエリアネットワーク装置１とパーソナルエリアネットワーク装置４がビデオサービスをサポートする。ユーザＡがパーソナルエリアネットワーク装置１を使用してパーソナルエリアネットワークゲートウェイを介してビデオオンデマンドサービスを使用している場合、パーソナルエリアネットワーク装置１の電池の電力量が不足する。本実施形態の前記場合で、シームレスハンドオーバプロセスは、以下のステップを含む。
【００５８】
ステップ２０１：ユーザＡは、パーソナルエリアネットワーク装置１を使用してパーソナルエリアネットワークゲートウェイへ当該ビデオオンデマンドサービスの説明情報が含まれるサービスハンドオーバ要求を送信する。
【００５９】
ステップ２０２：パーソナルエリアネットワークゲートウェイは、ハンドオーバ要求を受信した後、当該ビデオオンデマンドサービスの説明情報によってパーソナルエリアネットワーク装置４をハンドオーバされた新しいパーソナルエリアネットワーク装置として選択する。
【００６０】
ステップ２０３：パーソナルエリアネットワークゲートウェイは、パーソナルエリアネットワーク装置４へ当該ビデオオンデマンドサービスの説明情報が含まれるサービスハンドオーバ要求を送信する。
【００６１】
ステップ２０４：パーソナルエリアネットワーク装置４は、パーソナルエリアネットワークゲートウェイからのサービスハンドオーバ要求を受信した後、ハンドオーバに同意する。
【００６２】
ステップ２０５：パーソナルエリアネットワーク装置４は、受信された当該ビデオオンデマンドサービスの説明情報によって、パーソナルエリアネットワークゲートウェイを介してサービスサーバと接続を確立する。
【００６３】
ステップ２０６：パーソナルエリアネットワーク装置４は、サービス同期のための同期情報を取得するように、パーソナルエリアネットワークゲートウェイを介してパーソナルエリアネットワーク装置１へ同期情報の取得要求を送信する。
【００６４】
ステップ２０７：パーソナルエリアネットワークゲートウェイは、当該同期情報の取得要求を受信した後、当該要求をパーソナルエリアネットワーク装置１に転送する。
【００６５】
ステップ２０８：パーソナルエリアネットワーク装置１は、同期情報の取得要求を受信した後、前記サービスの現在の情報（例えば、現在の放送時間などが含まれる同期情報要求応答）をパーソナルエリアネットワークゲートウェイに返す。
【００６６】
ステップ２０９：パーソナルエリアネットワークゲートウェイは、当該同期情報要求応答をパーソナルエリアネットワーク装置４に転送する。
【００６７】
ステップ２１０：パーソナルエリアネットワーク装置４は、当該同期情報要求応答を受信して、取得された同期情報によって現在の放送時間から前記ビデオオンデマンドサービスを放送する。
【００６８】
ステップ２１１：パーソナルエリアネットワーク装置４は、パーソナルエリアネットワークゲートウェイへハンドオーバ完了の応答を返す。
【００６９】
ステップ２１２：パーソナルエリアネットワークゲートウェイは、パーソナルエリアネットワーク装置１へハンドオーバ完了の応答を返す。
【００７０】
ステップ２１３：パーソナルエリアネットワーク装置１は、当該ハンドオーバ完了の応答を受信して前記ビデオオンデマンドサービスを終了する。
【００７１】
具体的な実施例２
ユーザＡは、１つのパーソナルエリアネットワークゲートウェイと４つのパーソナルエリアネットワーク装置を含むパーソナルエリアネットワークを持って、ネットワーク構成図が４図に示され、その中パーソナルエリアネットワーク装置１、パーソナルエリアネットワーク装置２及びパーソナルエリアネットワーク装置４がビデオサービスをサポートする。ユーザＡがパーソナルエリアネットワーク装置１を使用してパーソナルエリアネットワークゲートウェイを介してビデオオンデマンドサービスを使用している場合、パーソナルエリアネットワーク装置１は、前記パーソナルエリアネットワークから離れることが必要となる。本実施形態の前記場合で、シームレスハンドオーバプロセスは、以下のステップを含む。
【００７２】
ステップ３０１：ユーザＡは、パーソナルエリアネットワーク装置１を使用してパーソナルエリアネットワークゲートウェイへサービス同期のための同期情報、例えば現在の放送時間などが含まれた当該ビデオオンデマンドサービスの説明情報が含まれるサービスハンドオーバ要求を、送信する。
【００７３】
ステップ３０２：パーソナルエリアネットワークゲートウェイは、ハンドオーバ要求を受信した後、当該ビデオオンデマンドサービスの説明情報によって、パーソナルエリアネットワーク装置４をハンドオーバされた新しいパーソナルエリアネットワーク装置として選択すると判断する。
【００７４】
ステップ３０３：パーソナルエリアネットワークゲートウェイは、パーソナルエリアネットワーク装置４へ当該ビデオオンデマンドサービスの説明情報が含まれるサービスハンドオーバ要求を送信する。
【００７５】
ステップ３０４：パーソナルエリアネットワーク装置４は、パーソナルエリアネットワークゲートウェイからのサービスハンドオーバ要求を受信した後、ハンドオーバを拒否し、そしてパーソナルエリアネットワークゲートウェイへハンドオーバ拒否の応答を返す。
【００７６】
ステップ３０５：パーソナルエリアネットワークゲートウェイは、当該ハンドオーバ拒否の応答を受信した後、再度にパーソナルエリアネットワーク２をハンドオーバされた新しいパーソナルエリアネットワーク装置として選択する。
【００７７】
ステップ３０６：パーソナルエリアネットワークゲートウェイは、パーソナルエリアネットワーク装置２へサービス同期のための同期情報、例えば現在の放送時間などが含まれた前記ビデオオンデマンドサービスの説明情報が含まれるサービスハンドオーバ要求を、送信する。
【００７８】
ステップ３０７：パーソナルエリアネットワーク装置２は、パーソナルエリアネットワークゲートウェイからの要求を受信して、ハンドオーバに同意する。
【００７９】
ステップ３０８：パーソナルエリアネットワーク装置２は、受信された当該ビデオオンデマンドサービスの説明情報によって、パーソナルエリアネットワークゲートウェイを介してサービスサーバと接続を確立する。
【００８０】
ステップ３０９：パーソナルエリアネットワーク装置２は、受信された同期情報によって、現在の放送時間から前記ビデオオンデマンドサービスを放送する。
【００８１】
ステップ３１０：パーソナルエリアネットワーク装置２は、パーソナルエリアネットワークゲートウェイへハンドオーバ完了の応答を返す。
【００８２】
ステップ３１１：パーソナルエリアネットワークゲートウェイは、パーソナルエリアネットワークゲートウェイ１へハンドオーバ完了の応答を返す。
【００８３】
ステップ３１２：パーソナルエリアネットワーク装置１は、当該ハンドオーバ完了の応答を受信した後に前記ビデオオンデマンドサービスを終了する。
【００８４】
具体的な実施形態３
ユーザＡは、１つのパーソナルエリアネットワークゲートウェイと４つのパーソナルエリアネットワーク装置を含むパーソナルエリアネットワークを持って、ネットワーク構成図が３図に示され、その中パーソナルエリアネットワーク装置１とパーソナルエリアネットワーク装置４がビデオサービスをサポートする。ユーザＡがパーソナルエリアネットワーク装置１を使用してパーソナルエリアネットワークゲートウェイを介してビデオオンデマンドサービスを使用している場合、パーソナルエリアネットワーク装置１の電池の電力量は不足する。本実施形態の前記場合で、シームレスハンドオーバプロセスは、以下のステップを含む。
【００８５】
ステップ４０１：ユーザＡは、パーソナルエリアネットワーク装置１を使用してパーソナルエリアネットワークゲートウェイへ当該ビデオオンデマンドサービスの説明情報が含まれるサービスハンドオーバ要求を送信する。
【００８６】
ステップ４０２：パーソナルエリアネットワークゲートウェイは、ハンドオーバ要求を受信して、当該ビデオオンデマンドサービスの説明情報によって、パーソナルエリアネットワーク装置４をハンドオーバされた新しいパーソナルエリアネットワーク装置として選択すると判断する。
【００８７】
ステップ４０３：パーソナルエリアネットワークゲートウェイは、パーソナルエリアネットワーク装置４へ当該ビデオオンデマンドサービスの説明情報が含まれるサービスハンドオーバ要求を送信する。
【００８８】
ステップ４０４：パーソナルエリアネットワーク装置４は、パーソナルエリアネットワークゲートウェイのサービスハンドオーバ要求を受信して、ハンドオーバに同意する。
【００８９】
ステップ４０５：パーソナルエリアネットワーク装置４は、受信された当該ビデオオンデマンドサービスの説明情報によって、パーソナルエリアネットワークゲートウェイを介してサービスサーバと接続を確立する。
【００９０】
ステップ４０６：パーソナルエリアネットワーク装置４は、サービスサーバからサービス同期のための同期情報を取得する。
【００９１】
ステップ４０７：パーソナルエリアネットワーク装置４は、取得された同期情報によって、現在の放送時間から前記ビデオオンデマンドサービスを放送する。
【００９２】
ステップ４０８：パーソナルエリアネットワーク装置４は、パーソナルエリアネットワークゲートウェイへハンドオーバ完了の応答を返す。
【００９３】
ステップ４０９：パーソナルエリアネットワークゲートウェイは、パーソナルエリアネットワーク装置１へハンドオーバ完了の応答を返す。
【００９４】
ステップ４１０：パーソナルエリアネットワーク装置１は、当該応答を受信した後に前記ビデオオンデマンドサービスを終了する。
【００９５】
なお、前記実施形態１との違いとして、本実施形態ではパーソナルエリアネットワークゲートウェイを介して元のパーソナルエリアネットワーク装置から同期情報を取得することではなく、サービスサーバから同期情報を取得することである。
【００９６】
具体的な実施形態４：
ユーザＡは、１つのパーソナルエリアネットワークゲートウェイと４つのパーソナルエリアネットワーク装置を含むパーソナルエリアネットワークを持って、ネットワーク構成図が３図に示され、その中、パーソナルエリアネットワーク装置１とパーソナルエリアネットワーク装置４がピクチャー共有サービスをサポートする。ユーザＡがパーソナルエリアネットワーク装置１を使用してパーソナルエリアネットワークゲートウェイを介してピクチャー共有サービスを行っている場合、パーソナルエリアネットワーク装置１の電池の電力量は不足する。本実施形態の前記場合で、シームレスハンドオーバプロセスは、以下のステップを含む。
【００９７】
ステップ５０１：ユーザＡは、パーソナルエリアネットワーク装置１を使用してパーソナルエリアネットワークゲートウェイへピクチャー共有サービスの説明情報が含まれるサービスハンドオーバ要求を送信する。
【００９８】
ステップ５０２：パーソナルエリアネットワークゲートウェイは、ハンドオーバ要求を受信して、当該ピクチャー共有サービスの説明情報によって、パーソナルエリアネットワーク装置４をハンドオーバされた新しいパーソナルエリアネットワーク装置として選択すると判断する。
【００９９】
ステップ５０３：パーソナルエリアネットワークゲートウェイは、パーソナルエリアネットワーク装置４へ当該ピクチャー共有サービスの説明情報が含まれるサービスハンドオーバ要求を送信する。
【０１００】
ステップ５０４：パーソナルエリアネットワーク装置４は、パーソナルエリアネットワークゲートウェイからのサービスハンドオーバ要求を受信した後に、ハンドオーバに同意する。
【０１０１】
ステップ５０５：パーソナルエリアネットワーク装置４は、受信された当該ピクチャー共有サービスの説明情報によって、パーソナルエリアネットワーク装置１での、ピクチャーと関連情報などを含むサービス同期のための同期情報を取得する。
【０１０２】
具体的には、パーソナルエリアネットワーク装置４は、サービスサーバと確立した接続により同期情報を取得してよいし、パーソナルエリアネットワークゲートウェイを介してパーソナルエリアネットワーク装置１から同期情報を取得してもよい。
【０１０３】
ステップ５０６：パーソナルエリアネットワーク装置４は、取得された同期情報によって、パーソナルエリアネットワーク装置１からピクチャー共有サービスを取得する。
【０１０４】
ステップ５０７：パーソナルエリアネットワーク装置４は、パーソナルエリアネットワークゲートウェイへハンドオーバ完了の応答を返す。
【０１０５】
ステップ５０８：パーソナルエリアネットワークゲートウェイは、サービスネットワークサーバへ更新メッセージを送信して、サービスサーバが前記ピクチャー共有サービスの説明情報を更新させ、説明情報におけるサービスプロバイダーがパーソナルエリアネットワーク装置１からパーソナルエリアネットワーク装置４に変更される。
【０１０６】
ステップ５０９：パーソナルエリアネットワークサーバは、受信された更新メッセージによって、当該ピクチャー共有サービスの説明情報を更新し、サービスプロバイダーをパーソナルエリアネットワーク装置１からパーソナルエリアネットワーク装置４に変更し、そしてパーソナルエリアネットワークゲートウェイへ更新応答を返す。
【０１０７】
ステップ５１０：パーソナルエリアネットワークゲートウェイは、パーソナルエリアネットワーク装置１へハンドオーバ完了の応答を返す。
【０１０８】
ステップ５１１：パーソナルエリアネットワーク装置１は、当該応答を受信した後に前記ピクチャー共有サービスを終了する。
【０１０９】
以上は、本発明の最適的な実施形態に過ぎなく、本発明の保護範囲を限定することではない。
【図１】
2014522025.tif 000003
【図２】
2014522025.tif 000004
【図３】
2014522025.tif 000005
【図４】
2014522025.tif 000006
【国際調査報告】
2014522025.tif 000007
2014522025.tif 000008
2014522025.tif 000009
2014522025.tif 000010